(57)【特許請求の範囲】
【請求項１】
前端にビットを着脱可能な電動工具の前方部分に装着されるカップ部と、そのカップ部の前方に連結されて前記ビットの周囲を覆う集塵筒とからなる集塵カップであって、
前記カップ部を、端部同士が重合する異径で複数の筒状体に分割し、最前方位置の前記筒状体の後端部を、隣接する筒状体の前端部に外装させて外側へ折り返し、外周側にリング状の操作部を同軸で形成すると共に、前記集塵筒を、その後端が前記操作部の折り返し底部に当接するまで前記最前方位置の筒状体に外装させて連結する一方、
隣接する前記筒状体同士の何れか一方の重合部分に、他方の重合部分側に向けて突出する突起を設け、
前記他方の重合部分に、前記突起を前後方向へ案内する案内部と、その案内部から前記筒状体の周方向へ連設されて前後方向へ複数配置されるロック部とからなり、前記案内部における最前方位置の前記ロック部よりも前方位置に、後方へ行くに従って上り勾配となる抜け止め突起を突設した係止溝を設けて、前記突起を係止させる前記ロック部の選択により、前記カップ部の前後長さを変更可能としたことを特徴とする集塵カップ。
【発明の詳細な説明】
【技術分野】
【０００１】
本発明は、ハンマドリル等の電動工具へ集塵用に装着される集塵カップに関する。
【背景技術】
【０００２】
ハンマドリル等の電動工具においては、先端のチャック機構に装着したドリルビットを回転させて穿孔作業を行う際、被穿孔材から生じる粉塵を飛散させないように、集塵カップが装着される。この集塵カップは、特許文献１に示すように、電動工具の前方部分に装着される筒状のカップ部と、そのカップ部の前方に連結され、ドリルビットを中心としてその周囲を非接触で覆う筒型の容器とからなるものが知られている。また、この集塵カップは、電動工具に設けられたサイドグリップ（サイドハンドル）を利用して装着される。すなわち、サイドグリップのテンションリングを、カップ部の後方に延設したフランジごと工具のハウジングに締め付けることで、サイドグリップの装着と同時に集塵カップの装着も行うものである。
【０００３】
【特許文献１】特開平９−１９３１４６号公報
【発明の開示】
【発明が解決しようとする課題】
【０００４】
このように集塵カップは電動工具に対するカップ部の固定位置が一定となるため、機種等によってチャック機構を含む電動工具の前方部分の前後長さが異なると、同じ集塵カップを装着することができない。このため、作業者にとっては使用する複数の電動工具に夫々対応した複数の集塵カップを用意する必要があって煩わしく、メーカーにとっては他品種少ロット生産を余儀なくされ、製造コストがかさむことになっている。
【０００５】
そこで、本発明は、装着される電動工具の前方部分の前後長さにかかわりなく使用でき、作業性やコスト面に優れる集塵カップを提供することを目的としたものである。
【課題を解決するための手段】
【０００６】
上記目的を達成するために、請求項１に記載の発明は、カップ部を、端部同士が重合する異径で複数の筒状体に分割し、最前方位置の筒状体の後端部を、隣接する筒状体の前端部に外装させて外側へ折り返し、外周側にリング状の操作部を同軸で形成すると共に、集塵筒を、その後端が操作部の折り返し底部に当接するまで最前方位置の筒状体に外装させて連結する一方、隣接する筒状体同士の何れか一方の重合部分に、他方の重合部分側に向けて突出する突起を設け、他方の重合部分に、突起を前後方向へ案内する案内部と、その案内部から筒状体の周方向へ連設されて前後方向へ複数配置されるロック部とからなり、案内部における最前方位置のロック部よりも前方位置に、後方へ行くに従って上り勾配となる抜け止め突起を突設した係止溝を設けて、突起を係止させるロック部の選択により、カップ部の前後長さを変更可能としたことを特徴とするものである。
【発明の効果】
【０００７】
請求項１に記載の発明によれば、カップ部の前後長さを任意に変更可能としたことで、電動工具の前方部分の前後長さにかかわりなく使用できる。よって、電動工具の機種に合わせて複数の集塵カップを用意する必要がなくなり、作業性が向上する。また、単一の集塵カップの製造で足りるため、製造コストも削減可能となる。
また、分割した筒状体に設けた突起と係止溝とにより、カップ部の前後長さを簡単に変更可能となる。
【発明を実施するための最良の形態】
【０００８】
以下、本発明の実施の形態を図面に基づいて説明する。
図１は、集塵カップの一例を示す縦断面図で、集塵カップ１は、ハンマドリル等の電動工具に装着される筒状のカップ部２と、カップ部２の前方（図１の左側）に同軸で外装される蛇腹状の集塵筒３とからなる。
まずカップ部２は、中央にビットの貫通孔５を有したシールキャップ４が前端に嵌着される前筒６と、前筒６に連結される後筒７とから形成されている。シールキャップ４はゴム製、前筒６及び後筒７は合成樹脂製の成形品である。前筒６は、図２にも示す如く、前端を内側へ折り返して内周側にリング状のガイド部８を、後端を外側へ折り返して外周側にリング状の操作部９を同軸で夫々形成した筒状体で、前筒６の外側面に設けた抜け止め突起１０，１０・・を、シールキャップ４の内面に凹設した凹部１１，１１・・に係合させることでシールキャップ４を一体化している。
【０００９】
また、集塵筒３は、後端が操作部９の折り返し底部１２に当接する位置まで前筒６に外装されており、この状態で、折り返し底部１２の前方に突設した抜け止め突起１３，１３・・が、集塵筒３の後端内周に凹設した凹部１４に係合することで、集塵筒３を一体に連結している。さらに、前筒６の内面後端寄りで軸心を中心とした点対称位置には、係止部となる一対の円形突起１５，１５が、夫々軸心に向けて突設されている。
【００１０】
一方、後筒７は、前筒６に後方から内挿してガイド部８に外装される筒状体で、その後端には、図３にも示す如く、後端に内側へ突出する爪部１７を夫々備えた４つの係止腕１６，１６・・が周方向に等間隔で延設されている。また、後筒７の外面で前筒６との重合部分には、被係止部となる一対の係止溝１８，１８が、軸心を中心とした点対称に凹設されている。この係止溝１８は、後筒７の前端から後方へ延びる直線状の案内部１９と、その案内部１９から周方向に連設されて前後方向で等間隔に配置される３つのロック部２０，２０・・とからなるもので、何れも前筒６の円形突起１５が嵌合して摺動可能な幅で形成されている。さらに、各案内部１９における最前方位置のロック部２０よりも前方位置には、後方へ行くに従って上り勾配となる抜け止め突起２１が夫々突設されている。
【００１１】
以上の如く構成された集塵カップ１は、前筒６の円形突起１５，１５を後筒７の係止溝１８，１８の案内部１９，１９に合わせた状態で、前筒６の後方から後筒７を差し込む。すると、筒体の弾性によって円形突起１５，１５が抜け止め突起２１，２１を乗り越えて案内部１９，１９に嵌合する。この状態で円形突起１５，１５は抜け止め突起２１，２１によって前方への移動が規制される。ここで、円形突起１５，１５を何れかのロック部２０に合わせて前筒６を周方向へ回転させ、円形突起１５，１５を選択したロック部２０，２０に夫々進入させれば、前筒６と後筒７との相対的な前後移動が規制され、両者が一体的に連結される。よって、円形突起１５，１５を進入させるロック部２０を選択することで、前筒６と後筒７とを合わせたカップ部２の前後長さが三段階に変更可能となる。
【００１２】
この集塵カップ１は、図４に示すように、電動工具の一例であるハンマドリル３０に、サイドハンドルを利用して固定される。ハンマドリル３０は、図示しない回転・打撃機構が内設されるハウジング３１の先端に、ドリルビット３２が着脱可能なチャック機構を備えている。このチャック機構は、外側のチャックカバー３３を常態で同図（Ｂ）に示す前進位置に付勢することで、軸心側に設けた図示しない規制部材を押圧してドリルビット３２を抜け止め保持するもので、チャックカバー３３を後退させると、規制部材の押圧を解除してドリルビット３２の抜き差しが可能となる周知の機構である。
また、ハウジング３１におけるチャックカバー３３の後方部位には、サイドハンドルのクランプ部３５が締め付け固定される締着部３４が形成されている。この締着部３４の外周に、図５に示すように、集塵カップ１のカップ部２の係止腕１６，１６・・が嵌合可能な４つの溝３６，３６・・が軸方向に形成されると共に、各溝３６の後端に、係止腕１６の爪部１７が係止可能な図示しない係止凹部が形成されている。
【００１３】
よって、ハンマドリル３０に装着する場合は、集塵カップ１が固定される締着部３４から前方部分の前後長さに合わせてカップ部２の長さを調整すればよい。図４では、係止溝１８の中央のロック部２０を選択して円形突起１５を嵌合させた長さとなっている。こうして前後長さを決定した後、ハンマドリル３０でサイドハンドルのクランプ部３５による締着部３４の緊締を緩めた状態で、集塵カップ１のカップ部２をハウジング３１の前方から、係止腕１６を締着部３４の溝３６に夫々合わせた状態で被着し、そのまま後方へ押し込んでクランプ部３５を締め付ければ、クランプ部３５の内周面が各溝３６内の係止腕１６の外面に近接し、各係止腕１６は締着部３４の周方向と放射方向との移動が共に規制される。よって、カップ部２が締着部３４に固定されて集塵カップ１の装着が完了する。このときハンマドリル３０の前方部分は長さ調整されたカップ部２内に丁度収まる。
【００１４】
一方、締着部３４よりも前方部分の前後長さが短いハンマドリル３０に装着する場合は、図６に示すように、係止溝１８の最後方のロック部２０を選択して円形突起１５を嵌合させた最短のカップ部２にして装着すればよく、前方部分の前後長さが長いハンマドリルの場合は、最前方のロック部２０を選択して円形突起１５を嵌合させた最長のカップ部２として装着すればよい。
【００１５】
このように、上記形態１の集塵カップ１によれば、カップ部２の前後長さを任意に変更可能としたことで、ハンマドリル３０の前方部分の前後長さにかかわりなく使用できる。よって、電動工具の機種に合わせて複数の集塵カップ１を用意する必要がなくなり、作業性が向上する。また、単一の集塵カップ１の製造で足りるため、製造コストも削減可能となる。
特にここでは、カップ部２を、端部同士が重合する前筒６と後筒７とに分割し、前筒６に円形突起１５を、後筒７にロック部２０を有した係止溝１８を夫々設けて、円形突起１５を係止させるロック部２０の選択により、カップ部２の前後長さを変更可能としたことで、カップ部２の前後長さを簡単に変更可能となる。また、円形突起１５と係止溝１８とによって係止部と被係止部とが簡単に形成可能となっている。
【００１６】
なお、上記形態では、カップ部が前筒と後筒とに分割される二段構造の集塵カップを例示しているが、図７に示すような三段構造でも採用可能である。
この集塵カップ１ａでは、前筒６と後筒７との間に中筒２２を採用して、前筒６に中筒２２を内挿し、中筒２２に後筒７を内挿する構造としている。中筒２２は、図８に示すように、後端を折り返して前筒６の操作部９よりも大径の第２操作部２３を周設した筒状体で、外面には、前筒６の円形突起１５が嵌合して摺動する一対の第２係止溝２４，２４が、係止溝１８と同様に前後に直線状の案内部２５と周方向のロック部２６，２６・・とから形成されている。但し、ここでのロック部２６は、後筒７の係止溝１８のロック部２０と共に前後に５つ配置されている。また、抜け止め突起２７，２７も最前方位置のロック部２６よりも前方で案内部２５内に突設されている。さらに、第２操作部２３の内側に当たる中筒２２の内面には、後筒７の係止溝１８，１８に嵌合して摺動する一対の第２円形突起２８，２８が突設されている。
【００１７】
よって、この集塵カップ１ａにおいては、中筒２２の第２円形突起２８を進入させる後筒７の係止溝１８の５つのロック部２０と、前筒６の円形突起１５を進入させる中筒２２の第２係止溝２４の５つのロック部２６との選択により、組み合わせとしては２５通り得られ、カップ部２の前後長さとしては最長から最短まで９段階に変更できることになる。
例えば図９に示すように、ハンマドリル３０の締着部３４から前方部分の前後長さがかなり長い場合は、後筒７の係止溝１８においては同図（Ｂ）のように最前方位置のロック部２０を選択して中筒２２の第２円形突起２８を嵌合させれば、当該位置で後筒７と中筒２２とが連結される。そして、中筒２２の第２係止溝２４においては例えば中央位置のロック部２６を選択して前筒６の円形突起１５を嵌合させれば、当該位置で中筒２２と前筒６とが連結される。よって、前方部分の前後長さが長いハンマドリル３０であっても装着可能となる。
【００１８】
一方、前方部分の前後長さが中くらいのハンマドリルの場合は、例えば図１０（Ａ）に示すように、後筒７の係止溝１８においては後側（ここでは前から４番目）のロック部２０を選択して中筒２２の第２円形突起２８を嵌合させると共に、中筒２２の第２係止溝２４においては最後方位置のロック部２６を選択して前筒６の円形突起１５を嵌合させて装着すればよい。なお、この状態では、前筒６の操作部９の後方が中筒２２の第２操作部２３に嵌合して前筒６と中筒２２とは安定状態で一体化されるようになっている。
そして、前方部分の前後長さが最短のハンマドリルの場合は、同図（Ｂ）に示すように、後筒７の係止溝１８、中筒２２の第２係止溝２４夫々において最後方位置のロック部２０，２６を選択して中筒２２の第２円形突起２８、前筒６の円形突起１５を夫々嵌合させた最短のカップ部２として装着すればよい。何れの場合もハンマドリル３０の前方部分は長さ調整されたカップ部２内に丁度収まる。
【００１９】
よって、この集塵カップ１ａにおいても、ハンマドリル３０の前方部分の前後長さにかかわりなく使用でき、作業性の向上や製造コストの削減が期待できることになる。特にここでは、カップ部２を三段構造としたことで、カップ部２の前後長さがより幅広く選択可能となり、先の形態よりも使い勝手に優れる。
【００２０】
また、上記形態や変更例の集塵カップでは、前筒や中筒の内面に円形突起を、中筒や後筒の外面に係止溝を設ける形態としているが、これを逆にしても同様に筒状体同士の連結とその長さの変更は可能である。
さらに、突起は、例えば筒状体に設けた別体のボールやピン等によって形成することもできる。この場合、係止溝との係脱を容易にするために、ボールやピンをゴム等の弾性材料で形成してもよい。
加えて、係止溝も、ロック部の数の増減等の変更が可能で、スリット状に形成されたものであっても差し支えない。
【００２２】
その他、筒状体の数も、４つ以上の筒状体を用いて上記形態と同様に突起と係止溝とによる連結と前後長さ変更とを図ってもよい。
また、集塵カップを電動工具に固定する固定手段も、係止腕の爪部をなくしてサイドハンドルのクランプ部による締着のみとする等、適宜設計変更可能である。勿論サイドハンドルのクランプ部を利用する締着形態に限定するものでもない。
さらに、集塵カップを装着する電動工具も、上記形態のハンマドリルに限らず、電動ドリル等の他の機種であっても差し支えない。
【図面の簡単な説明】
【００２３】
【図１】集塵カップの縦断面図である。
【図２】前筒の説明図（（Ａ）が正面、（Ｂ）が側面、（Ｃ）が背面を夫々示す）である。
【図３】後筒の説明図（（Ａ）が正面、（Ｂ）が側面、（Ｃ）が背面を夫々示す）である。
【図４】集塵カップをハンマドリルに装着した状態（（Ａ）は上方から、（Ｂ）は右側方から夫々見た状態を表す）を示す説明図である。
【図５】図４における締着部部分の横断面図である。
【図６】短くした集塵カップをハンマドリルに装着した状態を示す説明図である。
【図７】変更例の集塵カップの縦断面図である。
【図８】中筒の説明図（（Ａ）が正面、（Ｂ）が側面、（Ｃ）が背面を夫々示す）である。
【図９】集塵カップをハンマドリルに装着した状態（（Ａ）は上方から、（Ｂ）は右側方から夫々見た状態を表す）を示す説明図である。
【図１０】集塵カップをハンマドリルに装着した状態（（Ａ）がカップ部の中間長さ、（Ｂ）が最短長さの場合を夫々表す）を示す説明図である。
【符号の説明】
【００２４】
１，１ａ・・集塵カップ、２・・カップ部、３・・集塵筒、４・・シールキャップ、６・・前筒、７・・後筒、８・・ガイド部、９・・操作部、１５・・円形突起、１６・・係止腕、１８・・係止溝、１９，２５・・案内部、２０，２６・・ロック部、２２・・中筒、２４・・第２係止溝、２８・・第２円形突起、３０・・ハンマドリル、３１・・ハウジング、３２・・ドリルビット、３３・・チャックカバー。
【図１】
0004764761.tif 000002
【図２】
0004764761.tif 000003
【図３】
0004764761.tif 000004
【図４】
0004764761.tif 000005
【図５】
0004764761.tif 000006
【図６】
0004764761.tif 000007
【図７】
0004764761.tif 000008
【図８】
0004764761.tif 000009
【図９】
0004764761.tif 000010
【図１０】
0004764761.tif 000011